(57)【特許請求の範囲】
【請求項１】
一端が閉塞され、他端が開口端に形成されて尿を収容するための細長い筒状の収容筒と、
一端が閉塞端に形成され、他端が上記収容筒の開口端部の取り付け及び取り外しが自在な開口端に形成されると共に、側面に採尿口が形成されて採尿するための細長い筒状の採尿筒と、
一端が閉塞され、他端が開口された細長い筒状に形成されると共に、上記採尿筒の挿入及び抜き取りが自在に成るように該採尿筒より僅かに大径に形成され、上記採尿口を覆うためのカバー筒と、
上記採尿筒の閉塞端部の外周面に形成された雄螺子及び上記カバー筒の閉塞端部の内周面に形成されて上記雄螺子に嵌り込む雌螺子を有し、上記採尿筒をカバー筒に挿入した状態に該カバー筒と採尿筒とを結合するための結合手段とを備え、
上記採尿筒は、一端が閉塞され且つ他端が開口された円筒状の本体部と、該本体部の開口端に形成され且つ外径が上記本体部より大きい大径部とを備える一方、
上記採尿筒の大径部と本体部との間の段差面と上記カバー筒の開口端面とによって構成され、上記採尿筒をカバー筒に挿入して固定した状態で上記採尿筒の段差面とカバー筒の開口端面とが密着して該採尿筒とカバー筒との間をシールする端面シール手段が設けられ、
上記採尿筒の本体部の開口端部の外周面の一部に形成された摺り合わせ面と、上記カバー筒の開口端部の内周面の一部に形成された摺り合わせ面とによって構成され、上記採尿筒をカバー筒に挿入して固定した状態で上記採尿筒とカバー筒との両摺り合わせ面が密着して該採尿筒とカバー筒との間をシールする側面シール手段が設けられている
ことを特徴とする採尿用容器。
【請求項２】
請求項１において、
上記採尿筒の開口端部の外周面には、螺子状の螺旋突起が形成されている
ことを特徴とする採尿用容器。
【発明の詳細な説明】
【技術分野】
【０００１】
本発明は、病院や検査センター等で実施されている尿検査のために使用される採尿用容器に関するものである。
【背景技術】
【０００２】
一般に、病院や検査センターなどにおいては、数多くの尿検査が実施されている。
【０００３】
この尿検査に使用される採尿用容器には、従来、特許文献１に開示されているように、尿を収容する収容筒と、該収容筒の開口端に取り付けられ、側面に採尿口が形成されて採尿する採尿筒と、該採尿筒の挿入自在なに成るように上記採尿口を覆うカバー筒とより構成されているものがある。
【０００４】
上記採尿用容器は、収容筒に採尿筒を取り付けた組み立て状態とする。そして、被検査者は、採尿筒を下方に向けて収容筒を把持する。該被検査者は、採尿口に尿を掛けることにより、該尿が計量部に溜まり、尿の採取が終了する。
【０００５】
続いて、上記採尿筒を下方に向けたままカバー筒に挿入する。この結果、汚れ部分である採尿筒が覆われる。その後、例えば、上記採尿用容器の上下を逆にし、収容筒を下側に向けて容器立て等に挿入して検査室等に搬送される。
【特許文献１】特開２００３−２１５１２１号公報
【発明の開示】
【発明が解決しようとする課題】
【０００６】
上述した採尿用容器は、採尿筒をカバー筒に挿入した際、カバー筒の開口端部が採尿筒の開口端部の外周部に嵌り込むように構成されていた。このカバー筒と採尿筒との嵌り込みにより、該カバー筒と採尿筒との固定を行うと共に、カバー筒と採尿筒との間のシールを行うように構成されていた。
【０００７】
しかしながら、上記カバー筒と採尿筒との固定及びシールが確実に行われるようにすると、上記カバー筒と採尿筒との嵌り込みが固くなり過ぎるという問題があった。この結果、上記カバー筒と採尿筒との嵌り込みが不完全なまま容器立て等に挿入する場合が生じ、尿が採尿筒から漏れるなどの問題があった。
【０００８】
本発明は、斯かる点に鑑みて成されたもので、カバー筒と採尿筒との固定を簡易に且つ確実に行えるようにすることを目的とするものである。
【課題を解決するための手段】
【０００９】
本発明は、カバー筒と採尿筒とを螺子固定するようにしたものである。
【００１０】
第１の発明は、一端が閉塞され、他端が開口端に形成されて尿を収容するための細長い筒状の収容筒を備えている。そして、一端が閉塞端に形成され、他端が上記収容筒の開口端部の取り付け及び取り外しが自在な開口端に形成されると共に、側面に採尿口が形成されて採尿するための細長い筒状の採尿筒を備えている。更に、一端が閉塞され、他端が開口された細長い筒状に形成されると共に、上記採尿筒の挿入及び抜き取りが自在に成るように該採尿筒より僅かに大径に形成され、上記採尿口を覆うためのカバー筒を備えている。加えて、上記採尿筒の閉塞端部の外周面に形成された雄螺子及び上記カバー筒の閉塞端部の内周面に形成されて上記雄螺子に嵌り込む雌螺子を有し、上記採尿筒をカバー筒に挿入した状態に該カバー筒と採尿筒とを結合するための結合手段を備えている。
【００１１】
さらに、上記採尿筒は、一端が閉塞され且つ他端が開口された円筒状の本体部と、該本体部の開口端に形成され且つ外径が上記本体部より大きい大径部とを備えている。一方、上記採尿筒の大径部と本体部との間の段差面と上記カバー筒の開口端面とによって構成され、上記採尿筒をカバー筒に挿入して固定した状態で上記採尿筒の段差面とカバー筒の開口端面とが密着して該採尿筒とカバー筒との間をシールする端面シール手段が設けられている。その上、上記採尿筒の本体部の開口端部の外周面の一部に形成された摺り合わせ面と、上記カバー筒の開口端部の内周面の一部に形成された摺り合わせ面とによって構成され、上記採尿筒をカバー筒に挿入して固定した状態で上記採尿筒とカバー筒との両摺り合わせ面が密着して該採尿筒とカバー筒との間をシールする側面シール手段が設けられている。
【００１２】
第２の発明は、上記第１の発明において、上記採尿筒の開口端部の外周面に、螺子状の螺旋突起が形成されている。
【００１３】
すなわち、本発明では、先ず、採尿時において、採尿筒に収容筒の開口端部を取り付け、採尿状態に組み立てる。この組み立てた状態において、被検査者は、採尿筒を下方に向けて収容筒を把持する。そして、該被検査者は、採尿口に尿を掛けることにより、該尿が採尿口より採尿筒に流入し、尿の採取が終了する。
【００１４】
この尿の採取が終了すると、採尿用容器を検査室等に搬送する。その際の搬送状態は、２つの形態がある。
【００１５】
１つの形態は、上記採尿筒を下方に向けたままカバー筒に挿入する。この結果、汚れ部分である採尿筒が覆われる。その際、上記カバー筒に採尿筒を挿入した後、該カバー筒に対して採尿筒を回すと、雄螺子が雌螺子に嵌り込み、上記カバー筒と採尿筒とが結合される。
【００１６】
続いて、上記採尿用容器の上下を逆にし、収容筒を下側に向けて容器立て等に挿入して検査室等に搬送される。その後、検査室等において、収容筒を採尿筒及びカバー筒より外し、上記尿が収容された収容筒のみを検査装置にセットする。
【００１７】
一方、上記搬送状態の他の形態は、収容筒にキャップを取り付けて搬送する形態である。その際においても、採尿が終了すると、上記採尿筒を下方に向けたままカバー筒に挿入した後、該カバー筒に対して採尿筒を回すと、雄螺子が雌螺子に嵌り込み、上記カバー筒と採尿筒とが結合される。
【００１８】
その後、上記採尿用容器を上下を逆にすると、採尿が収容筒に流れ、該尿が収容筒に収納される。この状態において、カバー筒及び収容筒を収容筒より取り外す。そして、上記尿が収容された収容筒のみとし、この収容筒の開口端にキャップを取り付けて密封し、容器立て等に立てて検査室等に搬送される。この検査室等では、キャップを収容筒より外し、該収容筒を検査装置にセットする。
【００１９】
また、雄螺子と雌螺子とによってカバー筒と採尿筒とを固定した際、採尿筒の段差面とカバー筒の開口端面とが密着してシールされると共に、採尿筒の摺り合わせ面と上記カバー筒の摺り合わせ面とが密着してシールされる。
【００２０】
また、第２の発明では、上記採尿筒に螺旋突起が形成されているので、尿の採取が終了した際、被検査者が螺旋突起を見て採尿筒をカバー筒に対して必ず回すことになる。
【発明の効果】
【００２１】
したがって、本発明によれば、採尿筒の雄螺子とカバー筒の雌螺子とによって該カバー筒と採尿筒とを固定するようにしたために、尿の採取後のカバー筒と採尿筒との結合を容易に且つ確実に行うことができる。
【００２２】
また、端面シール手段と側面シール手段とによって採尿筒とカバー筒との間をシールするので、採取した尿の漏れを確実に防止することができる。
【００２３】
また、第２の発明によれば、上記採尿筒に螺旋突起を形成しているので、尿の採取が終了した際、被検査者が採尿筒をカバー筒に対して回そうとする気持ちが生じやすくなる。この結果、被検査者が採尿筒をカバー筒に対して必ず回すことになり、カバー筒と採尿筒との固定を確実に行うことができる。
【発明を実施するための最良の形態】
【００２４】
以下、本発明の実施形態を図面に基づいて詳細に説明する。
【００２５】
図１及び図２に示すように、採尿用容器１は、病院等で行われる尿検査の際に尿を採取するための容器である。
【００２６】
上記採尿用容器１は、採取した尿を収容する収容筒２と、採尿を行うと共に計量を行う採尿筒３と、上記採尿筒３に着脱自在に取り付けられるカバー筒４とより構成されている。
【００２７】
該収容筒２は、図３及び図４に示すように、一端が閉塞され、他端が開口された細長い円筒体に形成されている。該収容筒２は、合成樹脂などの透明材料より形成されている。尚、上記収容筒２の材料は、透明材料に限られず、有色半透明材料など各種の材料であってもよいことは勿論である。
【００２８】
上記収容筒２は、図４の左側のほぼ半部の本体部２１と、図４の右側のほぼ半部の先細部２２とよりなり、尿検査装置にセット可能な外径及び長さのスピッツに構成されている。
【００２９】
上記収容筒２の本体部２１は、先細部２２に向かって僅かに細くなるテーパ状に形成され、開口端部の外周面には、採尿筒３を固定するための固定螺子２３が形成されている。上記収容筒２の先細部２２は、本体部２１に連続し、閉塞端に向かって細くなるテーパ状に形成されている。上記収容筒２の先細部２２は、本体部２１のテーパ角度より大きく形成されている。
【００３０】
上記収容筒２の先細部２２の先端部には、第１の標線２ａと第２の標線2aと形成されている。上記第１の標線２ａ及び第２の標線２ａは、採取した尿を遠心分離して上澄を捨て、尿沈渣試験用のサンプル（１５μｌ；マイクロリットル）を採取するための残尿量を表示するものであって、それぞれ０．１ｍｌ（ミリリットル）及び０．２ｍｌ（ミリリットル）の収納量を表示するように設定されている。
【００３１】
上記収容筒２には、採尿量を示す採尿目盛り２ｂが付されている。該採尿目盛り２ｂは、収容筒２の長手方向に付され、採尿量が識別できるように構成されている。
【００３２】
尚、上記採尿用容器１は、収容筒２のキャップ２５を備えている。該キャップ２５は、断面逆Ｕ字状に形成され、上記収容筒２の固定螺子２３にネジ込まれ、収容筒２を完全閉鎖するように形成されている。
【００３３】
上記採尿筒３は、図５及び図６に示すように、一端が閉塞され、他端が開口された細長い円筒体に形成されている。該採尿筒３は、合成樹脂などの半透明材料より形成されている。尚、上記採尿筒３の材料は、半透明材料に限られず、無着色合成樹脂など各種の材料であってもよいことは勿論である。
【００３４】
上記採尿筒３は、本体部３ａと開口端に形成された大径部３ｂとを備えている。上記本体部３ａは、図５の左側のほぼ半部の計量部３１と、図５の右側のほぼ半部の採尿部３２とより形成されている。上記計量部３１は、一端が閉塞され、尿検査に必要な尿を計量するように構成されている。例えば、上記採尿筒３の計量部３１は、１０ml（ミリリットル）の収容容積に構成され、この容量の場合、上記計量部３１は、例えば、内径が１３．８mmの円筒体に形成され、長さが６９．００mmに形成されている。尚、この計量部３１の収容容積は、１５ml（ミリリットル）や２０ml（ミリリットル）であってもよく、要するに、上記計量部３１の収容容積は、検査等の要望に対応して１０ml（ミリリットル）以上であってもよく、逆に１０ml（ミリリットル）未満であってもよい。
【００３５】
また、上記本体部３ａの閉塞端部、つまり、計量部３１の閉塞端部は、該本体部３ａよりも小径の小径部３ｃに形成されている。
【００３６】
上記採尿筒３の採尿部３２は、一端が計量部３１に連続し、他端が開口された円筒体に形成されている。そして、上記採尿部３２は、採尿口３３と補助口３４とが形成されている。該採尿口３３は、尿の採取時に該尿が注入される開口であって、採尿筒３の外周面から内周面に貫通して形成されている。上記採尿口３３は、採尿筒３の円周方向の過半部を切り欠いて形成され、例えば、軸方向長さが２８．００mmに形成されている。
【００３７】
上記採尿口３３における計量部３１の側の一端は、採尿筒３の径方向に一致する直交面３３ａに形成され、他端は、開口端に向かって傾斜する傾斜面３３ｂに形成されている。そして、上記採尿口３３の直交面３３ａから採尿筒３の閉塞端までが上記計量部３１に形成されている。
【００３８】
上記補助口３４は、採尿口３３と反対側の採尿筒３の外周面から内周面に貫通して形成されている。上記補助口３４は、２つ軸方向に直列に形成されている。尚、上記補助口３４の個数は、１つであってよく、逆に３つ以上であってもよい。また、上記補助口３４を形成した理由は、採尿時の空気抜き作用を行うようにして採尿の容易化を図るようにすると共に、成形時の変形を防止するようにするためである。
【００３９】
上記大径部３ｂは、採尿部３２の開口端部に連続して形成され、該採尿部３２の外径より大径に形成され、上記収容筒２の開口端部が挿入自在に形成されている。
【００４０】
上記大径部３ｂの内周面には、収容筒２の固定螺子２３にネジ込まれる固定螺子３５が形成されている。そして、上記収容筒２の固定螺子２３と採尿筒３の固定螺子３５とによって収容筒２と採尿筒３とが取り付け及び取り外し自在に構成されている。上記収容筒２の固定螺子２３と採尿筒３の固定螺子３５とは、例えば、収容筒２と採尿筒３とを相対的に３回転又は２回転若しくは１回転で取り付け及び取り外しが行われるように構成されている。
【００４１】
上記大径部３ｂにおける採尿部３２側の端面は、本体部３ａとの間の段差面３ｄに形成され、該段差面３ｄは、採尿筒３の径方向に一致する直交面に形成されている。また、上記大径部３ｂにおける採尿部３２側の外周端部には、覆い部３６が一体形成されている。該覆い部３６は、カバー筒４の端部が挿入可能な内径に形成され、該カバー筒４の端部を覆うように形成されている。
【００４２】
上記カバー筒４は、図７に示すように、一端が閉塞され、他端が開口された細長い円筒体に形成されている。該カバー筒４は、合成樹脂などの着色材料より形成されている。尚、上記カバー筒４の材料は、着色材料に限られず、各種の材料であってもよいことは勿論である。
【００４３】
上記カバー筒４は、採尿筒３の挿入及び抜き取りが自在になるように該採尿筒３より僅かに大径に形成されている。
【００４４】
上記カバー筒４は、採尿口３３を閉鎖して採尿筒３の本体部３ａの全体が挿入される長さに形成されている。該上記カバー筒４は、一端が閉塞され且つ他端が開口されて採尿口３３を閉鎖する本体部４１と、該本体部４１の開口端部に形成された大径部４２とより構成されている。上記大径部４２は、採尿筒３の覆い部３６の内側に挿入されるように形成されている。また、上記本体部４１の閉塞端部は、該本体部４１よりも小径の小径部４３に形成されている。
【００４５】
上記採尿筒３とカバー筒４との間には、本発明の特徴とする結合手段５と螺旋突起１１と端面シール手段１２と側面シール手段１３と仮止め手段６とが設けられている。
【００４６】
上記結合手段５は、採尿筒３とカバー筒４とを結合するものであり、採尿筒３の小径部３ｃの外周面に形成された雄螺子５１と、カバー筒４の小径部４３の内周面に形成された雌螺子５２とより構成されている。上記結合手段５は、採尿筒３をカバー筒４に挿入してカバー筒４が採尿口３３を閉鎖した状態において採尿筒３をカバー筒４に対して回すと、雄螺子５１が雌螺子５２に嵌り込みカバー筒４が採尿筒３に結合されるように構成されている。
【００４７】
上記螺旋突起１１は、採尿筒３における本体部３ｃの外周面の一部であって開口端と採尿口３３との間に形成されている。上記螺旋突起１１は、採尿筒３をカバー筒４に挿入した際、単にカバー筒４を介して被検査者が看視し得るように構成されている。つまり、一般的に、人が螺子のある部材を見ると当該部材を回そうとする心理が作用することから、上記螺旋突起１１を設けることにより、被検査者がカバー筒４を回すことになり、上記結合手段５によりカバー筒４が採尿筒３に確実に固定される。
【００４８】
上記端面シール手段１２は、カバー筒４の開口端と採尿筒３との間をシールするものであり、カバー筒４の開口端面４ａと採尿筒３の段差面３ｄとによって構成されている。つまり、上記端面シール手段１２は、図８に示すように、採尿筒３にカバー筒４をネジ込んだ際、カバー筒４における大径部４２の開口端面４ａが採尿筒３における大径部３ｂの段差面３ｄに密着するように構成されている。
【００４９】
上記側面シール手段１３は、カバー筒４の開口端部と採尿筒３の開口端部との間を側面でシールするものであり、カバー筒４に形成された摺り合わせ面４ｂと、採尿筒３に形成された摺り合わせ面３ｅとによって構成されている。上記カバー筒４の摺り合わせ面４ｂは、カバー筒４における本体部４１の内周面の一部であって開口端の周縁に形成されている。上記採尿筒３の摺り合わせ面３ｅは、採尿筒３における本体部３ａの外周面の一部であって開口端と螺旋突起１１との間に形成されている。そして、上記カバー筒４の摺り合わせ面４ｂと採尿筒３の摺り合わせ面３ｅとは、図８に示すように、カバー筒４に採尿筒３を挿入すると、互いに密着するように構成されている。
【００５０】
上記仮止め手段６は、図９及び図１０に示すように、カバー筒４が採尿筒３に引っ掛かるようにしたものであり、採尿筒３をカバー筒４に挿入した状態に該カバー筒４を採尿筒３に仮止めするためのものである。上記仮止め手段６は、カバー筒４の環状突起６１と、採尿筒３の環状突起６２とにより構成されている。該カバー筒４の環状突起６１は、本体部４１の長手方向のほぼ中央部に位置し、本体部４１の内周面に形成されている。上記採尿筒３の環状突起６２は、本体部３ａにおける採尿口３３と閉塞端部との間に位置し、本体部３ａの外周面に形成されている。上記カバー筒４の環状突起６１と採尿筒３の環状突起６２とは、雄螺子５１が雌螺子５２に嵌り込む前の状態まで採尿筒３をカバー筒４に挿入した際、カバー筒４の環状突起６１が採尿筒３の環状突起６２を乗り越え、カバー筒４が採尿筒３に引っ掛かるように構成されている。
【００５１】
一方、上記採尿筒３における採尿部３２の外周面には、当接突起１ａが形成されている。該当接突起１ａは、結合手段５の雄螺子５１を雌螺子５２に嵌め込み、この嵌め込みが完了する直前に上記カバー筒４の環状突起６１が乗り越え、「カチン」などの嵌め込みの完了音を発するように構成されている。
【００５２】
また、上記採尿筒３の閉塞端面とカバー筒４の閉塞端面には、当接片１ｂ，１ｃが形成されている。つまり、上記採尿筒３の底面の外側には、当接片１ｂが形成され、上記カバー筒４の底面の内側には、当接片１ｃが形成されている。上記当接片１ｂ，１ｃは、薄く且つ細長い突出片で形成され、半径方向に形成されている。そして、上記当接片１ｂ，１ｃは、結合手段５の雄螺子５１を雌螺子５２に嵌め込み、この嵌め込みが完了する直前に互いに乗り越え、「カチン」などの嵌め込みの完了音を発するように構成されている。したがって、上記当接突起１ａとカバー筒４の環状突起６１との完了音と上記当接片１ｂ，１ｃの完了音とによって二重の終了音が発生する。
【００５３】
〈採尿用容器１の使用方法〉
次に、上述した採尿用容器１の使用方法について説明する。
【００５４】
先ず、採尿する前の未使用の状態においては、採尿筒３の取付部３５に収容筒２の開口端部が挿入され、採尿筒３の固定螺子３５と収容筒２の固定螺子２３とネジ合わせて該採尿筒３と収容筒２とが取り付けられている。更に、上記採尿筒３は、カバー筒４に挿入され、カバー筒４の環状突起６１が採尿筒３の環状突起６２を乗り越え、カバー筒４が採尿筒３に引っ掛かった仮止め状態に設定されている。その際、図９に示すように、結合手段５の雄螺子５１が雌螺子５２に嵌り込む前の状態にカバー筒４が採尿筒３に仮止めされている。この状態で包装袋に収納されている。
【００５５】
次に、採尿時において、被検査者は、包装袋より採尿用容器１を取出し、カバー筒４を採尿筒３より抜き取る。そして、収容筒２に採尿筒３が取り付けられた状態とし、被検査者は、採尿筒３を下方に向けて収容筒２を把持する。そして、該被検査者は、採尿口３３に尿を掛けることにより、該尿が採尿口３３より採尿筒３に流入し、計量部３１に溜まり、尿の採取が終了する。この採尿時において、所定量（例えば、１０ml）の尿が計量部３１に注入されると、採尿口３３より採尿筒３の外に漏れるので、尿検査に必要な量が確実に採取され、余剰の尿が採取されることがない。
【００５６】
この尿の採取が終了すると、採尿用容器１を検査室等に搬送する。その際の搬送状態は、２つの形態がある。
【００５７】
１つの形態は、図２に示すように、上記採尿筒３を下方に向けたままカバー筒４に挿入する。この結果、汚れ部分である採尿筒３が覆われる。その際、上記カバー筒４に採尿筒３を挿入すると、採尿口３３がカバー筒４によって閉鎖される。続いて、上記カバー筒４に対して採尿筒３を回すと、雄螺子５１が雌螺子５２に嵌り込み、上記カバー筒４と採尿筒３とが結合して固定される。特に、上記採尿筒３に螺旋突起１１が設けられ、被検査者はこの螺旋突起１１を見てカバー筒４に対して採尿筒３を確実に回すことになる。
【００５８】
その上、上記結合手段５の雄螺子５１と雌螺子５２との嵌め込みが完了する直前に上記カバー筒４の環状突起６１が採尿筒３の当接突起１ａを乗り越え、「カチン」などの嵌め込みの完了音を発する。同時に、上記採尿筒３とカバー筒４との当接片１ｂ，１ｃが互いに乗り越え、「カチン」などの嵌め込みの完了音を発する。
【００５９】
また、上記カバー筒４と採尿筒３とを結合すると、図８に示すように、カバー筒４の開口端面４ａが採尿筒３の大径部３ｂの段差面３ｄに当接して密着し、カバー筒４と採尿筒３との間がシールされる。更に、上記カバー筒４に採尿筒３を挿入すると、カバー筒４の摺り合わせ面４ｂと採尿筒３の摺り合わせ面３ｅとが密着し、カバー筒４と採尿筒３との間がシールされる。したがって、採尿の漏れが防止される。
【００６０】
続いて、上記採尿用容器１の上下を逆にし、収容筒２を下側に向けて容器立て等に挿入して検査室等に搬送される。その際、上記採尿筒３を上下を逆にすると、採尿が収容筒２に流れ、該尿が収容筒２に収納される。
【００６１】
その後、検査室等において、上記採尿筒３の覆い部３６を把持し、該採尿筒３を収容筒２に対して回転すると、固定螺子２３，３５が外れる。この固定螺子２３，３５が外れた状態において、収容筒２が採尿筒３及びカバー筒４より外れる。そして、上記尿が収容された収容筒２のみを検査装置にセットする。
【００６２】
一方、上記搬送状態の他の形態は、図３に示すように、収容筒２にキャップ２５を取り付けて搬送する形態である。その際においても、採尿が終了すると、上記採尿筒３を下方に向けたままカバー筒４に挿入する。このカバー筒４に採尿筒３を挿入すると、採尿口３３がカバー筒４によって閉鎖される。続いて、上記カバー筒４に対して採尿筒３を回すと、雄螺子５１が雌螺子５２に嵌り込み、上記カバー筒４と採尿筒３とが結合して固定される。
【００６３】
その上、上述したように、上記結合手段５の雄螺子５１と雌螺子５２との嵌め込みが完了する直前に上記カバー筒４の環状突起６１が採尿筒３の当接突起１ａを乗り越え、「カチン」などの嵌め込みの完了音を発する。同時に、上記採尿筒３とカバー筒４との当接片１ｂ，１ｃが互いに乗り越え、「カチン」などの嵌め込みの完了音を発する。
【００６４】
また、その際、図８に示すように、カバー筒４の開口端面４ａが採尿筒３の大径部３ｂの段差面３ｄに当接して密着し、カバー筒４と採尿筒３との間がシールされる。更に、上記カバー筒４に採尿筒３を挿入すると、カバー筒４の摺り合わせ面４ｂと採尿筒３の摺り合わせ面３ｅとが密着し、カバー筒４と採尿筒３との間がシールされる。
【００６５】
その後、上記採尿用容器１を上下を逆にすると、計量部３１の採尿が収容筒２に流れ、該尿が収容筒２に収納される。この状態において、採尿筒３と収容筒２の固定螺子３５，２３を外し、採尿筒３及びカバー筒４を同時に収容筒２より取り外す。この結果、上記尿が収容された収容筒２のみとなり、この収容筒２の開口端にキャップ２５をネジ込んで密封し、容器立て等に立てて検査室等に搬送される。この検査室等では、キャップ２５を収容筒２より外し、該収容筒２を検査装置にセットすることになる。
【００６６】
〈実施形態１の効果〉
以上のように、本実施形態によれば、採尿筒３の雄螺子５１とカバー筒４の雌螺子５２とによって該カバー筒４と採尿筒３とを結合するようにしたために、尿の採取後のカバー筒４と採尿筒３との固定を容易に且つ確実に行うことができる。
【００６７】
また、上記端面シール手段１２と側面シール手段１３とによって採尿筒３とカバー筒４との間をシールするので、採取した尿の漏れを確実に防止することができる。
【００６８】
また、上記採尿筒３に螺旋突起１１を形成しているので、尿の採取が終了した際、被検査者が採尿筒３をカバー筒４に対して回そうとする気持ちが生じやすくなる。この結果、被検査者が採尿筒３をカバー筒４に対して確実に回すことになり、カバー筒４と採尿筒３との固定を確実に行うことができる。
【００６９】
また、上記カバー筒４を採尿筒３に仮止めする仮止め手段６が設けられているので、尿を採取する前では雄螺子５１が雌螺子５２に嵌り込んでいない状態でカバー筒４が採尿筒３に仮止めすることができることから、尿の採取を容易に且つ迅速に行うことができる。
【００７０】
また、上記採尿筒３に計量部３１を設けているので、検査に必要な量の尿採取を確実に行うことができる。この結果、検査室等において、余剰の尿の処理を行うことないので、検査を衛生的に且つ迅速に行うことができる。
【００７１】
特に、上記採尿筒３に計量部３１を形成しているので、雄螺子５１の形成が容易となり、結合手段５を容易に構成することができる。
【００７２】
また、上記結合手段５の雄螺子５１と雌螺子５２との嵌め込みが完了する直前に上記カバー筒４の環状突起６１と採尿筒３の当接突起１ａとが完了音を発すると同時に、上記採尿筒３とカバー筒４との当接片１ｂ，１ｃが完了音を発するので、閉め忘れが確実に防止される。
【００７３】
〈その他の実施形態〉
本発明は、上記実施形態について、以下のような構成としてもよい。
【００７４】
上記実施形態においては、収容筒２の固定螺子２３と採尿筒３の固定螺子３５とを形成している。この収容筒２の固定螺子２３と採尿筒３の固定螺子３５とは、凹部と凸部との組合せであってもよい。本発明は、要するに上記収容筒２と採尿筒３とが尿が漏れることなく取り付け及び取り外しが行われるように構成されておればよい。
【００７５】
また、上記実施形態では、カバー筒４の環状突起６１と採尿筒３の当接突起１ａとが完了音を発すると共に、上記採尿筒３とカバー筒４との当接片１ｂ，１ｃが完了音を発するようにしたが、本発明ではいずれか一方のみが完了音を発するようにしてもよいことは勿論である。
【００７６】
尚、以上の実施形態は、本質的に好ましい例示であって、本発明、その適用物、あるいはその用途の範囲を制限することを意図するものではない。
【産業上の利用可能性】
【００７７】
以上説明したように、本発明は、病院などにおける尿検査に使用される採尿用容器について有用である。
【図面の簡単な説明】
【００７８】
【図１】図１は、本発明の実施形態を示し、カバー筒を外した採尿用容器の正面図である。
【図２】図２は、カバー筒を取り付けた採尿用容器の縦断面図である。
【図３】図３は、キャップを取り付けた収容筒の縦断面図である。
【図４】図４は、収容筒の縦断面図である。
【図５】図５は、採尿筒の側面図である。
【図６】図６は、採尿筒の縦断面図である。
【図７】図７は、カバー筒の縦断面図である。
【図８】図８は、収容筒と採尿筒とカバー筒と開口部の縦断面図である。
【図９】図９は、採尿前の採尿用容器の縦断面図である。
【図１０】図１０は、図９のＡ部分の拡大断面図である。
【符号の説明】
【００７９】
１            採尿用容器
１１          螺旋突起
１２          端面シール手段
３ｄ          段差面
４ｂ          開口端面
１３          側面シール手段
３ｅ，４ｂ    摺り合わせ面
２            収容筒
３            採尿筒
３１          計量部
３２          採尿部
３３          採尿口
４            カバー筒
５            結合手段
５１          雄螺子
５２          雌螺子
６            仮止め手段
６１、６２    環状突起
【図１】
0004953980.tif 000002
【図２】
0004953980.tif 000003
【図３】
0004953980.tif 000004
【図４】
0004953980.tif 000005
【図５】
0004953980.tif 000006
【図６】
0004953980.tif 000007
【図７】
0004953980.tif 000008
【図８】
0004953980.tif 000009
【図９】
0004953980.tif 000010
【図１０】
0004953980.tif 000011